(57)【要約】【課題】  アッセンブリの組み立てと同時に配線支持が行えることで配線作業性の悪化や部品点数の増加さらには配線支持忘れなどの事故を未然に防止できる構成を備えた遊技機を提供する。【解決手段】  図柄表示部材が表面に設けられて回転可能なリール部材Ｒ１，Ｒ２，Ｒ３および図柄表示部材を裏側から照明する照明装置１００２を備えた遊技機において、上記リール部材Ｒ１，Ｒ２，Ｒ３ならびにこれらの駆動源Ｍ１および照明装置１００２を纏めて組み付けたアッセンブリ１０００Ａの一部に上記駆動源Ｍ１および照明装置１００２の配線支持部１００２Ｃを設けて該アッセンブリ１０００Ａが不動部１００３に組み付けられると同時に上記配線支持部１００２Ｃが上記不動部１００３に一体支持されることを特徴とする。【選択図】    図４
2005124900.tif 000002
【特許請求の範囲】
【請求項１】
図柄表示部材が表面に設けられて回転可能なリール部材および図柄表示部材を裏側から照明する照明装置を備えた遊技機において、
上記リール部材ならびにこれらの回動用駆動源および照明装置を纏めて組み付けたアッセンブリの一部に上記回動用駆動源および照明装置の配線支持部を設けて該アッセンブリが不動部に組み付けられると同時に上記配線支持部が上記不動部に一体支持されることを特徴とする遊技機。
【請求項２】
請求項１記載の遊技機において、
上記配線支持部は、上記照明装置の一部を構成するランプハウジングに一体化されて上記不動部に係止される係止部近傍に空洞部を設け、該空洞部内に配線を通して該配線を係止部と上記不動部とで囲む構成であることを特徴とする遊技機。
【請求項３】
請求項１または２記載の遊技に機において、
上記配線支持部を構成する空洞部を備えた係止部は、上記不動部に形成されている係止孔に係合可能な係止爪で構成されていることを特徴とする遊技機。
【発明の詳細な説明】
【技術分野】
【０００１】
本発明は遊技機に関し、さらに詳しくは、パチンコ遊技機、スロットマシンあるいは雀球機さらにはパチスロマシンやゲームセンタで用いられるゲーム機などの箱形遊技機に装備されている回転リールの配線支持構造に関する。
【背景技術】
【０００２】
周知のように、遊技機、特に箱型遊技機の一つであるスロットマシンにおいては、スタートレバーあるいはスタートボタンを操作することにより複数個のリールを回転させ、ストップボタンを操作させることで各リールの回転を順次停止させ、停止した際のリールの図柄の組み合わせによりメダルあるいは球を払い出す構成を用いたものがある。
【０００３】
図柄を表示するために用いられるリールは、ステッピングモータなどの駆動源に有する駆動軸に直結され、駆動源での回転位置あるいは回転量をステップ数などから判別して外周面に装備されているリールテープに表示された図柄のうちの所望するものを透視窓などの所定位置で停止させるようになっており、また、所定位置に停止したリールテープの図柄を遊技者が視認しやすいように、図柄を有するリールテープの背後から照明する構成が用いられている（例えば、特許文献１）。
【０００４】
一方、リールの設置部であるユニットには、ステッピングモータなどの駆動源および照明装置への配線が備えられており、配線は、回転体であるリールの周辺部に位置することからその組み立て時あるいはメンテナンス時において纏めておくことが必要となる。そこで、従来では、配線を求めておく構成の一つとして、配線として用いられるハーネスを高湿樹脂などで成形されて内部が空間を構成しているハーネスケース内にハーネスを通し、ハーネスケースをパネルなどの不動部材に接着して固定する構成が用いられている（例えば、特許文献２）。
【０００５】
【特許文献１】特開２００３−１９０３６０号公報（段落「００３１」欄
【特許文献２】特開２００２−１８０７６号公報（段落「００１４」欄
【特許文献３】特開平８−３０８９８４号公報（段落「００２３」欄）
【発明の開示】
【発明が解決しようとする課題】
【０００６】
しかし、上記各特許文献に開示されている構成においては、リールユニットを構成するアッセンブリーとは別に配線支持部として設けられていることから、組み立て工数が多くなり組み立て作業性が煩雑なものとなる。特に、リールユニットを組み立てた後に、改めて上記構成を用いた配線の取り付け支持が必要となり、リール部材の駆動源および照明装置を対象とした配線に必要な部品点数の増加を招くばかりでなく、リールユニットと異なる位置での配線支持作業を行わなければならないことで配線支持を忘れることもあり、作業の信頼性を悪化させる虞もある。
一方、配線作業に際しては、リール駆動用のモータが支持されるモータ支持板の一部にハーネス掛け止め用のフック部材を設けて掛け回して結束した状態にセットしたり、あるいは、ハーネスを纏めた結束バンドをモータ支持板の一部に取り付けておくことがある。
しかし、このような作業内容では、掛け止め用フックに対して十分な巻き締めが行われない状態で掛け回されていたり、あるいは結束状態が不十分であると、ハーネスに弛みが生じやすくなり、近隣に位置するリールと接触して断線したりあるいはリールに巻き込まれて回転を阻害してしまう虞があり、スロットマシン自体の故障を引き起こす場合もある。
【０００７】
本発明の目的は、上記従来の遊技機、特に配線構造における問題に鑑み、アッセンブリの組み立てと同時に配線支持が行えることで配線作業性の悪化や部品点数の増加さらには配線支持忘れなどの事故を未然に防止できる構成を備えた遊技機を提供することにある。
【課題を解決するための手段】
【０００８】
請求項１記載の発明は、図柄表示部材が表面に設けられて回転可能なリール部材および図柄表示部材を裏側から照明する照明装置を備えた遊技機において、
上記リール部材ならびにこれらの回動用駆動源および照明装置を纏めて組み付けたアッセンブリの一部に上記回動用駆動源および照明装置の配線支持部を設けて該アッセンブリが不動部に組み付けられると同時に上記配線支持部が上記不動部に一体支持されることを特徴としている。
【０００９】
請求項２記載の発明は、請求項１記載の発明に加えて、上記配線支持部は、上記照明装置の一部を構成するランプハウジングに一体化されて上記不動部に係止される係止部近傍に空洞部を設け、該空洞部内に配線を通して該配線を係止部と上記不動部とで囲む構成であることを特徴としている。
【００１０】
請求項３記載の発明は、請求項１または２記載の発明に加えて、上記配線支持部を構成する空洞部を備えた係止部は、上記不動部に形成されている係止孔に係合可能な係止爪で構成されていることを特徴としている。
【発明の効果】
【００１１】
請求項１記載の発明によれば、リール部材の駆動源および照明装置を纏めて組み付けたアッセンブリの一部に配線支持部が設けられているので、特別な配線支持構造を敢えて設けることなく配線を纏めて組み付けることができる。これにより、アッセンブリーの組み付けと同時に配線も完了するので、配線作業を特別な作業手順として設定しなくてすみ、作業性を向上させることが可能となる。しかも、アッセンブリーの組み付け時に配線が完了することで配線のし忘れなどの虞を確実になくすことが可能となる。
【００１２】
請求項２記載の発明によれば、配線支持部がランプハウジングに一体化されて不動部に係止される係止部近傍に設けた空洞部で構成されているので、ランプハウジングを不動部に係止する作業に合わせて配線を完了させることができる。これにより、ランプハウジングとは別の構造による配線と違って、配線の有無を確認しながらランプハウジングの組み付けが可能となり、配線のし忘れを確実に防止できると共に、不用意に配線の一部が他の位置に採り回されるような事態を防止することが可能となる。
【００１３】
請求項３記載の発明によれば、配線支持部を構成する空洞部を有した係止部は不動部に形成されている係止孔に係合可能な係止爪で構成されているので、不動部への係止爪の係合と同時に配線が完了し、しかも、ランプハウジングの脱落を防止する機能を持たせることができる係止爪であることにより、不用意に配線が外れたりすることを防止することができることで配線をなすハーネスが回転部分などに絡まるような事態を未然に防止することが可能隣、配線の安全性を維持することが可能となる。
【発明を実施するための最良の形態】
【００１４】
以下、図面により本発明を実施するための最良の形態について説明する。
【実施例】
【００１５】
本発明の対象である遊技機として、スロットマシンを対象としてその構成を説明する。
【００１６】
図１は本スロットマシン１００の外部構造を表した平面図、図２は本スロットマシン１００の内部構造を表した平面図、図３は本スロットマシン１００に設けられている制御システムの構成を表したブロック図である。
【００１７】
図１においてスロットマシン１００の外部構造を概説すると、スロットマシン１００は、遊技者に面するフロントドア１０１と、フロントドア１０１が開閉可能に取り付けられた後述の筐体１０２とを備えて構成されている。
【００１８】
フロントドア１０１は、機械的に強固な硬質プラスチックで成形された上部パネル部１０３と中部パネル部１０４及び下部パネル部１０５とを備えて構成されている。
【００１９】
上部パネル部１０３には、上部ランプと呼ばれる演出用ランプ１０３ａと、スピーカが取り付けられた放音部１０３ｂ，１０３ｃと、液晶ディスプレイ等で形成された演出表示装置１０３ｄが設けられている。
【００２０】
中部パネル部１０４には、透明な硬質プラスチック板で形成された略長方形の透過窓ＷＤと、演出用ランプ１０４ａ，１０４ｂが設けられ、筐体１０２内に設けられている回胴リール装置２００の回胴リールＲ１，Ｒ２，Ｒ３を、遊技者が透過窓ＷＤを介して見ることが可能となっている。
【００２１】
更に中部パネル部１０４の下端には、遊技者が操作するための操作部１０４ｃが設けられ、当該操作部１０４ｃには、スロットマシンゲームを行うのに必要な遊技メダルを投入するためのメダル投入部ＭＤと、１ゲーム当たりのメダル数を提示するためのベットボタンＢ１，Ｂ２，Ｂ３と、１ゲームの開始を指示するためのスタートレバーＳＴと、回転中の回胴リールＲ１，Ｒ２，Ｒ３を個別に停止させるためのストップボタンＳＰ１，ＳＰ２，ＳＰ３と、遊技者が獲得した遊技メダルの払い出しを指示するための精算ボタンＭＲが設けられている。
【００２２】
更に、メダル投入部ＭＤの近傍に、フロントドア１０１を開錠するための鍵穴ＫＹが設けられている。そして、遊技場側の事業者や管理者が、鍵穴ＫＹに正規の鍵を挿入して開錠操作すると、後述の施錠機構ＬＫを解除し、フロントドア１０１を筐体１０２から開くことが可能となっている。
【００２３】
下部パネル部１０５には、本スロットマシン１００のゲーム内容を紹介等するための画像（図示略）が描かれており、更に遊技者の獲得した枚数の遊技メダルを払い出すための排出口１０５ａ及び受皿１０５ｂと、スピーカが取り付けられた放音部１０５ｃが設けられている。
【００２４】
次に、図２を参照して、フロントドア１０１の裏面構造と、筐体１０２の内部構造を概説する。なお、図２はフロントドア１０１を開錠して筐体１０２から開いた状態を表している。
【００２５】
同図において、フロントドア１０１の裏面上部に、上述の放音部１０３ｂ，１０３ｃを構成するスピーカＳＲ，ＳＬが設けられ、スピーカＳＲ，ＳＬの間に演出表示装置１０３ｄが設けられている。
【００２６】
更に演出表示装置１０３ｄの裏面側には、電気回路基板で形成されたサブ制御基板３００が取り付けられている。
【００２７】
すなわち、サブ制御基板３００は、導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成され、演出表示装置１０３ｄの裏面側に重なるようにして取り付けられている。
【００２８】
演出表示装置１０３ｄとサブ制御基板３００の下方には、上述の透過窓ＷＤと中部パネル部１０４のパネル面とが形成された略長方形の枠体１０４ｄが取り付けられている。
【００２９】
枠体１０４ｄの下方には、メダル投入部ＭＤより投入される投入物を正規の遊技メダルか異物か判別して振り分けるセレクト機構Ｇ０と、セレクト機構Ｇ０で振り分けられた遊技メダルを筐体１０２側に設けられているホッパ装置ＨＰへ案内するガイド部材Ｇ１と、セレクト機構Ｇ０で振り分けられた異物を排出口１０５ａへ案内するガイド部材Ｇ２と、ホッパ装置ＨＰから出力される払い出し用のメダルを排出口１０５ａへ案内するガイド部材Ｇ３が設けられ、更に排出口１０５ａの近傍に、放音部１０５ｃを構成するスピーカＳＷが取り付けられている。
【００３０】
上述の枠体１０４ｄとセレクト機構Ｇ０との間には、長尺状の電気回路基板で形成された中央表示基板４００が取り付けられており、当該中央表示基板４００の一端に、発光ダイオードで形成されセグメント表示を行う設定表示素子ＣＴと、設定ボタンＣＳとが設けられている。
【００３１】
すなわち、中央表示基板４００もサブ制御基板３００と同様に、導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成され、更に設定表示素子ＣＴと設定ボタンＣＳとが搭載されて配線接続されている。
【００３２】
更に、セレクト機構Ｇ０の側方に上述の施錠機構ＬＫが設けられ、筐体１０２の一端にロック部材ＬＯが固定されている。そして、フロントドア１０１を筐体１０２側に閉じると、施錠機構ＬＫがロック部材ＬＯに嵌着することによってフロントドア１０１を施錠し、一方、上述したように正規の鍵で開錠操作すると、施錠機構ＬＫがロック部材ＬＯから外れることによってフロントドア１０１を開錠することが可能となっている。
【００３３】
次に、筐体１０２内には、主電源装置ＰＷＵと、ホッパ装置ＨＰから溢れた遊技メダルを収容するための補助貯留部ＳＨＰが設けられる他、上述の透過窓ＷＤに対向する回胴リールＲ１，Ｒ２，Ｒ３とこれら回胴リールＲ１，Ｒ２，Ｒ３を回転駆動する電動モータ（図示略）とを備えた回胴リール装置２００が設けられている。
【００３４】
更に、主電源装置ＰＷＵの側面には電源装置基板５００、回胴リール装置２００の上端には回胴装置基板６００、回胴リール装置２００の上方には主制御基板７００、筐体１０２の内壁の一端には外部集中端子基板としての外部集中端子基板８００が取り付けられている。
【００３５】
すなわち、電源装置基板５００と、回胴装置基板６００、主制御基板７００、外部集中端子基板８００も、上述のサブ制御基板３００及び中央表示基板４００と同様に、導電性配線パターンの形成された絶縁性樹脂基板上に集積回路装置（ＩＣ）やトランジスタ、抵抗、コンデンサ等の電子部品が搭載されて配線接続されたいわゆる電気回路基板として形成されている。
【００３６】
ただし、サブ制御基板３００と主制御基板７００は、夫々硬質プラスチックの保護ケース内に個別に収納されたユニット構造となっている。
【００３７】
図３は、回動リールＲ１，Ｒ２，Ｒ３を纏めたリールユニット１０００のうちで、各リールを覆う部材の一つであるリールケース本体１００１のみが示されており、リールユニット１０００としては、リールケース本体１００１に加えて、回動リールの背面側を覆うリールケースカバー（図示されず）が備えられている。
図３において、リールケース本体１００１を有するリールユニット１０００は、内部に３個の回動リールＲ１，Ｒ２，Ｒ３が並置されている。
回動リールＲ１，Ｒ２，Ｒ３は、リールケース本体１００１に形成されている開口部１００１Ａから外部に露出しており、この位置が図１に示した透過窓ＷＤの位置に整合させてある。
【００３８】
リールユニット１０００には、各回動リールＲ１，Ｒ２，Ｒ３を構成するドラムの内部にリール背面からの照明を行う照明装置１００２が、そして図示しないが、回動リールＲ１，Ｒ２，Ｒ３の回転駆動源としてのステッピングモータが配置されている。
リールユニット１０００は、回動リール１，Ｒ２，Ｒ３を対象とする照明装置１０００およびステッピングモータが纏めて組み立てられたアッセンブリを構成しており、その構成が図４に示されている。
【００３９】
図４は、リールユニット１０００内で一つの回動リールを対象としたアッセンブリを示す図であり、（Ａ）はアッセンブリの側面図、（Ｂ）は（Ａ）中、符号（Ｂ）で示す方向において後述するステッピングモータＭ１を除いた状態の矢視断面図である。なお、図４では、回動リールおよびこれの支持機構に関しては省略してある。
図４（Ｂ）において、アッセンブリ１０００Ａは、リールユニット１０００に装備される不動部としての板金性の基板１００３に対して図示しない締結手段を用いて一体化される底板部１０００Ａ１を備えており、底板部１０００Ａ１の表面には、回動リールＲ１，Ｒ２，Ｒ３の回転駆動源となるステッピングモータＭ１および照明装置１００２を構成するランプハウジング１００２Ａが纏められて締結などの手段を介して取り付けられている。なお、図４（Ａ）においては、ランプハウジング１００２Ａの締結部１００２Ａ１のみが示されており、ステッピングモータＭ１の締結部に関しては示されていない。
【００４０】
アッセンブリ１０００Ａに取り付けられているランプハウジング１００２Ａには、アッセンブリ１０００Ａを基板１００３に対して、あるいは、アッセンブリ１０００Ａを基板１００３に組み付けてから後付により基板１００３に対して組み付けるための構成が設けられており、その構成は、図４（Ｂ）に示すように、ランプハウジング１００２Ａの長手方向両側において基板１００１側に向け延出されている係止孔１００２Ｂおよび基板１００３側に設けられて係止爪１００２Ｂが係合可能な係止孔１００３Ａが用いられる。なお、アッセンブリ１０００Ａには、基板１００３側の係止孔１００３Ａと連通する貫通孔１０００Ａ２が設けられて係止爪１００２Ｂの挿通を可能にしている。
【００４１】
係止爪１００２Ｂは、基板１００３側の係止孔１００３Ａ内周縁に対して自らの撓み剛性により圧接する習性を有しており、撓み剛性以上の反力が与えられた場合のみ、係合を解除することができるようになっている。
【００４２】
ランプハウジング１００２Ａにおける係止爪１００２Ｂの近傍には、空洞部１００２Ｃが形成されており、この空洞部１００２Ｃには、図４（Ａ）、および（Ｂ）に示すように、ステッピングモータＭ１の配線として用いられるハーネスＨ１および照明装置１００２に装備されている光源（図示されず）への配線として用いられるハーネスＨ２が装填できるようになっている。
空洞部１００２Ｃは、係止爪１００２Ｂとランプハウジング１００２Ａから係止爪１００２Ｂに向け延長された天井部１００２Ｄによって囲まれ、基板１００３側の面のみが開放されて矩形断面を構成している。
【００４３】
本実施例は以上のような構成であるから、アッセンブリ１０００Ａを基板１００３に組み付ける場合には、予め、アッセンブリ１０００Ａにおける底板部１０００Ａ１に対してステッピングモータＭ１およびランプハウジング１０００２Ａが組み付けられ、これら部材を纏めて配置された状態のアッセンブリ１０００Ａが基板１００３に対して組み付けられる。
このときには、ランプハウジング１００２Ａ側の係止爪１００２Ｂが基板１００３側の係止孔１００３Ａに係合されることで仮固定が行われ、図示しないねじなどを用いた締結作業によりアッセンブリ１００Ａが基板１００３に固定される。
この場合、係止爪１００２Ｃがアッセンブリ１０００Ａの貫通孔１００２Ａ２に係合することでランプハウジング１００２Ａがアッセンブリ１００Ａの底板部１００２Ａ１に仮固定された状態となり、そして、ステッピングモータＭ１および光源に対する配線Ｈ１，Ｈ２は、予め底板部１００２Ａ１を含めた閉断面をなす空洞部１００２Ｃの空間内に纏められて散乱しない状態とされる。
これにより、ランプハウジング１００２Ａの係止爪１００２Ｂが基板１００３側の係止孔１００３Ａ内に係合するのと同時、つまりアッセンブリ１０００Ａが不動部である基板１００３側に組み付けられると同時にハーネスＨ１，Ｈ２が基板１００３側に支持されることになる。
このように係止爪１００２Ｃがアッセンブリ１００Ａの貫通孔１００２Ａ２内に係合される段階では、係止爪１００２Ｃの挿入時点でハーネスが纏められることになるので、貫通孔１００２Ａ２への係止爪１００２Ｃの装着と同時にハーネスの纏め、換言すれば、結束とが行われることとなり、係止爪１００２Ｃの装着作業時にハーネスの結束という異なる作業を同時期に行えることで、配線作業の工数低減が図れることになる。
【００４４】
一方、アッセンブリ１００Ａの組み付けに際しては、ランプハウジング１００２Ａを後付けする場合もある。この場合には、予めステッピングモータＭ１を取り付けたアッセンブリ１０００Ａが基板１００３側に締結などにより固定される。
この状態においてランプハウジング１００２Ａは、係止爪１００２Ｂをアッセンブリ１０００Ａの貫通孔１０００Ａ２に挿通させた状態で、基板１００３側の係止孔１００３Ａに係合させることにより基板１００３側に取り付けられることになる。このときのランプハウジング１００２Ａは、仮固定の状態であり、締結などにより本固定される。
この場合において、ステッピングモータＭ１および光源に対するハーネスＨ１，Ｈ２は、ランプハウジング１００２Ａがアッセンブリ１０００Ａの底板部１０００Ａ１に搭載される前に空洞部１００２Ｄ内に纏められて収納され、ランプハウジング１００２Ａが底板部１００２Ａ１に搭載されるのと同時に閉断面となった空洞部１００２Ｄ内に支持され、さらに、ランプハウジング１００２Ａの係止爪１００２Ｂが基板１００２側の係止孔１００３Ａに係合するのと同時に基板１００３側に支持されることになる。
【００４５】
本実施例によれば、ランプハウジングの位置部を利用して配線として用いられるハーネスＨ１，Ｈ２を収納できる空洞部１００２Ｃを設けるだけの簡単な構成により、結束バンドや支持ケースなどの特別な配線支持構造を用いないようにすることができ、配線に係る部品点数の低減が可能となる。
なお、本実施例では、スロットマシンを遊技機の対象として挙げたが、本発明では、パチンコ機やゲーム機などを対象とすることも可能である。
【図面の簡単な説明】
【００４６】
【図１】本発明の実施例による遊技機の一例を示すスロットマシンの外観構造を概略的に示した平面図である。
【図２】図１に示したスロットマシンの内部構造を概略的に示した平面図である。
【図３】図１に示したスロットマシンに用いられるリールユニットの一部構造を示す外観図である。
【図４】図１に示したスロットマシンに用いられるリールユニットに用いら得るアッセンブリの要部構成を説明するための図であり、（Ａ）は側面図、（Ｂ）は（Ａ）中、符号（Ｂ）で示す方向の矢視断面図である。
【符号の説明】
【００４７】
１００              ストッロマシン
１０００            リールユニット
１０００Ａ          アッセンブリ
１０００Ａ１        底板部
１０００Ａ２        係止孔
１００１            リールケース本体
１００２            照明装置
１００２Ａ          ランプハウジング
１００２Ｂ          係止爪
１００２Ｃ          空洞部
１００２Ｄ          天井部
１００３            不動部をなす基板
Ｈ１，Ｈ２          ハーネス
Ｍ１                ステッピングモータ
Ｒ１，Ｒ２，Ｒ３    回動リール
【図１】
2005124900.tif 000003
【図２】
2005124900.tif 000004
【図３】
2005124900.tif 000005
【図４】
2005124900.tif 000006